(57)【要約】【課題】フィルタを容易に交換することができ、フィルタ交換作業時のシステム停止時間を最小にすることにより、安全性と保守性を向上させると共に、システム全体の運用における信頼性を向上させた強制空気冷却装置を提供すること。【解決手段】装置本体１０１と、この装置本体１０１の空気の換気を強制的に行う空気冷却ファン１０２と、前記空気冷却ファンを設けた平面状の吸気口の対向する２辺に設けられ、頭頂部が下部よりも大なる径を有する複数のフィルタ保持部材１０４と、前記吸気口の前記フィルタ部材が設けられていない辺から前記吸気口の面と平行な方向に着脱可能でかつ、前記フィルタ保持部材により側部を留められるフィルタ１０３とを有する。【選択図】　図１
2004138337.tif 000002
【特許請求の範囲】
【請求項１】
装置本体と、
この装置本体の空気の換気を強制的に行う空気冷却ファンと、
前記空気冷却ファンを設けた平面状の吸気口の対向する２辺に設けられ、頭頂部が下部よりも大なる径を有する複数のフィルタ保持部材と、
前記吸気口の前記フィルタ部材が設けられていない辺から前記吸気口の面と平行な方向に着脱可能でかつ、前記フィルタ保持部材により側部を留められるフィルタとを有して成ることを特徴とする強制空気冷却装置。
【請求項２】
装置本体と、
この装置本体の空気の換気を強制的に行う空気冷却ファンと、
前記空気冷却ファンを設けた平面状の吸気口の対向する２辺に設けられ、断面が逆Ｌ字状で内側に向けられた複数のフィルタ保持部材と、
前記吸気口の前記フィルタ部材が設けられていない辺から前記吸気口の面と平行な方向に取り外し可能で、かつ前記フィルタ保持部材により側部を留められるフィルタとを有して成ることを特徴とする強制空気冷却装置。
【請求項３】
前記フィルタは、着脱可能な方向の辺に取手を有することを特徴とする請求項１又は２記載の強制空気冷却装置。
【発明の詳細な説明】
【０００１】
【発明の属する技術分野】
本発明は、吸気口にフィルタを着脱可能に取付ける構造の空気冷却装置に関する。
【０００２】
【従来の技術】
従来から吸気口にフィルタを取付けた構造の空気冷却装置が知られている。このような空気冷却装置において吸気口にフィルタを取り付けるには、フィルタを外枠に取り付け、これを空気冷却装置の側盤にボルトで固定していた。
【０００３】
しかしこの方法では、フィルタをある程度、強固に固定する必要から、高い強度のフィルタの枠を用い、取り付けにボルトなどを用いるので、交換作業も複雑となった。したがって、フィルタの交換時に当該空気冷却装置を有するシステムや機器の運転を停止させる必要があることもあって、交換作業にも時間がかかった。また、このような空気冷却装置を１台は予備機としてスタンバイさせるような、二重システムにおいては、通常これらが隣接して設置されているのでに一方の交換作業に危険が伴うなどの問題があり、やはり容易にシステムの切り替えができないという問題があった。
【０００４】
フィルタをボルト等で取り付けなくてもよいように、フィルタ枠にヒンジ付きのフィルタカバーを設け、この中にフィルタエレメントを設置するもの（特許文献１、参照）も知られている。しかし、この構造を有する装置でも、フィルタ枠を固定することが困難であり、またフィルタ枠は強固な構造とする必要があるという問題があった。
【０００５】
【特許文献１】
・特開平１１−１０８４１０（図２）
【０００６】
【発明が解決しようとする課題】
本発明は、従来の空気冷却装置における上述のような問題点に鑑みてなされたもので、フィルタを容易に交換することができ、フィルタ交換作業時のシステム停止時間を最小にすることにより、安全性と保守性を向上させると共に、システム全体の運用における信頼性を向上させた強制空気冷却装置を提供することを目的とする。
【０００７】
【課題を解決するための手段】
本発明の請求項１によれば、装置本体と、この装置本体の空気の換気を強制的に行う空気冷却ファンと、前記空気冷却ファンを設けた平面状の吸気口の対向する２辺に設けられ、頭頂部が下部よりも大なる径を有する複数のフィルタ保持部材と、前記吸気口の前記フィルタ部材が設けられていない辺から前記吸気口の面と平行な方向に着脱可能でかつ、前記フィルタ保持部材により側部を留められるフィルタとを有して成ることを特徴とする強制空気冷却装置を提供する。
【０００８】
本発明の請求項２によれば、装置本体と、この装置本体の空気の換気を強制的に行う空気冷却ファンと、前記空気冷却ファンを設けた平面状の吸気口の対向する２辺に設けられ、断面が逆Ｌ字状で内側に向けられた複数のフィルタ保持部材と、前記吸気口の前記フィルタ部材が設けられていない辺から前記吸気口の面と平行な方向に取り外し可能で、かつ前記フィルタ保持部材により側部を留められるフィルタとを有して成ることを特徴とする強制空気冷却装置を提供する。
【０００９】
【発明の実施の形態】
以下、本発明の実施形態について図面を用いて説明する。図１（ａ）（ｂ）に、本発明による空気冷却装置の一実施形態の平面図及び側面図を示す。即ち、この空気冷却装置は、装置本体１０１と、電動モータとそれにより回転して空気を捕らえる羽根を有する空気冷却ファン１０２と、空気冷却ファン１０２により流動する空気を浄化するフィルタ１０３と、このフィルタ１０３を装置本体１０１に留めるフィルタ保持部材１０４と、フィルタ１０３の着脱時に手がかりとして用いるフィルタスライド取手１０５とから構成される。
【００１０】
ここで、この実施形態における装置本体１０１とフィルタ１０３の装着の仕方を従来の場合と比較しながら説明する。図５（ａ）（ｂ）に従来の場合の構成例を示す。即ち、この空気冷却装置は、装置本体５０１と、電動モーターとそれにより回転して空気を捕らえる羽根を有する強制空気冷却ファン５０２と、空気冷却ファン５０２により流動する空気を浄化するフィルタ５０３と、このフィルタ５０３を装置本体５０１に固定するボルト５０４とから成る。
【００１１】
フィルタ５０３は、ボルト５０４により装置本体５０１に強固に取り付けられるので、強度面では問題ないがメンテナンス性を著しく欠くことになり、またフィルタ５０３の枠が強固にできている必要がある。これに対して上記本発明の実施形態では、フィルタ保持部材１０４を用いることにより解決する。
【００１２】
図２（ａ）（ｂ）（ｃ）に、この実施形態におけるフィルタ保持部材１０４の構造の一例を示す。図２（ａ）（ｂ）は平面図、側面図であり、同図（ｃ）はフィルタ保持部材近辺の拡大図である。フィルタ１０３の外枠に欠き込み部２０１とスプリング式のフック受け部２０２を設ける。これによりフィルタ保持部材１０４の下部（図においては二重円の内側の円）に引っ掛かり固定する。フック受け部２０２は加重を加えると内側に引っ込むスプリング式であるのでフィルタ１０３の取り付け時のスライド操作では内側に引っ込むことによりフィルタ保持部材１０４の下部を通過させフック受け部２０２の凹状の半円部分で止まって左右方向と上下方向の固定ができる。また、フィルタ保持部材１０４は側面図から理解されるように頭頂部が下部より径が大きくなっている。この頭頂部がフィルタ１０３を抑え、フィルタ１０３を装置本体１０１のフィルタ設置面の前後方向に固定できる。
【００１３】
以上のべたように、フィルタ１０３は強制空気冷却装置１０１の吸気口の面に平行なフィルタ設置面にスライドさせて装着し、フィルタ保持部材１０４により固定される。この固定は従来のボルトを用いたものと異なり、容易に取り外しが可能であるためフィルタ１０３の交換作業など、メンテナンス性を非常に高くすることができる。
【００１４】
なお、図２に示した本発明の一実施形態では左右方向（横方向）に装着していた。しかしフィルタ保持部材１０４の配置を変えれば、上下方向（縦方向）に装着することも可能である。
【００１５】
フィルタ保持部材の構造は他の形態であってもよい。例えば図３に示す一実施形態はフィルタ１０３を縦方向に装着する場合である。同図（ａ）は平面図、同図（ｂ）は側面図である。このフィルタ保持部材３０１の構造は図４に示したようなものとなる。図４（ａ）は平面図、図４（ｂ）は断面図である。フィルタ保持部材３０１は、装置本体１０１のフィルタ設置面に左右両側と底部に置かれ、フィルタ１０３を受け止め、頂部かぎ状の部分で前後方向と左右方向を固定し、フィルタ１０３の自重をフィルタ保持部材３０１で受け止めることにより上下方向を固定する。
【００１６】
なお、図１に示した一実施形態におけるフィルタ保持部材は、頭頂部がその下部よりも一様に大きい径を有する形状としていた、このような形状のフィルタ保持部材を用いれば、フィルタを確実に保持できる利点がある。しかし、本発明ではこのような形状のフィルタ保持部材に限らず、例えば頭頂部を最も最大径とし徐々に径を小さくした形状のフィルタ保持部材を用いることもできる。
【００１７】
【発明の効果】
以上述べたように本発明によれば、フィルタの吸気口への取り付けを容易にし、フィルタ交換作業をより安全に、交換作業時間も短縮しシステムの安全性と保守性を向上させられる効果がある。また、フィルタ交換作業時のシステム停止時間を最小にすることによって、システム全体の運用における信頼性を向上させた強制空気冷却装置が得られる効果がある。
【図面の簡単な説明】
【図１】本発明における一実施形態の構成を説明するための図。
【図２】本発明においてフィルタを横方向に装着する実施形態を説明するための図。
【図３】本発明においてフィルタを縦方向に装着する実施形態を説明するための図。
【図４】図３の実施形態に用いるフィルタ保持部材の構成を説明するための図。
【図５】空気冷却装置の従来例の構成を説明するための図。
【符号の説明】
１０１、２０１・・・装置本体、
１０２・・・空気冷却ファン、
１０３・・・フィルタ、
１０４，３０１・・・フィルタ保持部材、
１０５・・・フィルタスライド取手、
２０１・・・切り込み部、
２０２・・・フック受け部。
【図１】
2004138337.tif 000003
【図２】
2004138337.tif 000004
【図３】
2004138337.tif 000005
【図４】
2004138337.tif 000006
【図５】
2004138337.tif 000007